(57)【特許請求の範囲】
【請求項１】
原動機（Ｅ）を備える走行車体（２）と、左右の前輪（１０，１０）及び原動機（Ｅ）からの動力により駆動する左右の後輪（１１，１１）と、前記走行車体（２）上に設けた運転席（３１）と、走行車体（２）を操向操作する操向ハンドル（３４）と、該操向ハンドル（３４）の操作に連動して左右の前輪（１０，１０）を操舵するステアリング機構（８７）と、前記走行車体（２）の後側に昇降リンク装置（３）を介して昇降可能に装着された作業部（４）と、原動機（Ｅ）からの動力を左右の後輪（１１，１１）へ伝達する左右のサイドクラッチを各々設け、該左右の後輪（１１，１１）の回転数を検出する左右の後輪回転センサ（２０５，２０５）を各々設けた作業車両において、
前記左右のサイドクラッチを手動で入切操作する左右のブレーキペダル（１１１，１１１）を設け、該左右のブレーキペダル（１１１，１１１）の操作を検知する左右のセンサ（１１２，１１２）を設け、前記操向ハンドル（３４）が旋回開始操作されてから旋回終了操作されるまでの間、旋回内側の後輪回転センサ（２０５）の累計回転数とこの累計回転数に対応する旋回内側のセンサ（１１２）の検出値を記録する制御装置（１６３）を設け、
該制御装置（１６３）は、次工程では記録された旋回内側のセンサ（１１２）の検出値に合わせて旋回内側の後輪（１１）の駆動を断続的に入切制御することを特徴とする作業車両。
【請求項２】
前記左右のブレーキペダル（１１１，１１１）の操作に連動して各々上下移動する左右の第１ロッド（１１９，１１９）を設け、
該左側の第１ロッド（１１９）が上下移動すると連動して上下回動する中継アーム（１３４）を設け、該中継アーム（１３４）の上下回動に連動して上下移動するカウンタロッド（１３７）を設け、
該カウンタロッド（１３７）と右側の第１ロッド（１１９）の上下移動に各々連動して前後移動する左右の第２ロッド（１８０，１８０）を設け、該左右の第２ロッド（１８０，１８０）に左右のサイドクラッチの入切を切り替える左右各々のサイドクラッチ操作アーム（８６Ｉ，８６Ｉ）を設けると共に、
前記カウンタロッド（１３７）と前記右側の第１ロッド（１１９）にセンサ（１１２，１１２）を各々設けたことを特徴とする請求項１に記載の作業車両。
【請求項３】
前記苗植付部（４）に苗の残量を検知する苗量センサ（９１）を設け、該苗量センサ（９１）が苗の減少を検知すると点灯する苗減少ランプ（９２）を設け、前記苗植付部（４）の前側に圃場面を耕起するロータ（９８）を設け、前記走行車体（２）の前側に畦際までの距離を測定する前方距離センサ（９３）を設け、
該前方距離センサ（９３）が測定する畦際までの距離が、前記苗量センサ（９１）が検知する苗の残量から判断される植付可能な距離よりも長いと前記苗減少ランプ（９２）を点灯させると共に、
該前方距離センサ（９３）が測定する畦際までの距離が設定された第１距離になると前記ロータ（９８）の駆動を停止させ、第２距離になると前記苗植付部（４）の植付クラッチを切にすることを特徴とする請求項１または２に記載の作業車両。
【請求項４】
前記前方距離センサ（９３）は、畦が機体の進行方向に対して傾斜しているか否かを検出する左右一対の前方距離センサ（９３Ｌ，９３Ｒ）で構成し、該左右の前方距離センサ（９３Ｌ，９３Ｒ）が畦の傾斜を検出すると、畦クラッチを自動的に入切して旋回前の植え終わり位置から畦際までの距離と旋回後の畦際から植え始め位置までの距離とを揃える構成とし、
前記操向ハンドル（３４）の操作コラム（４７）の右側に植付操作レバー（１６５）を設け、該植付操作レバー（１６５）を１段下げ方向に操作すると前記苗植付部（４）が下降し、２段下げ方向に操作すると植付クラッチが入になる構成とすると共に、
前記操作コラム（４７）の左側に圃場に線を形成するマーカを操作するマーカ操作レバー（１６７）を設け、該マーカ操作レバー（１６７）を上下方向に操作するとマーカが上下動する構成としたことを特徴とする請求項１から３の何れか１項に記載の作業車両。
【請求項５】
前記旋回走行中の前記左右のブレーキペダル（１１１，１１１）の手動操作を記録し、次工程では記録された旋回内側のセンサ（１１２）の検出値に合わせて旋回内側の後輪（１１）の駆動を断続的に入切する手動制御と、
前記制御装置（１６３）が、前記旋回外側の後輪回転センサ（２０５）によって検出された旋回外側の後輪（１１）の回転数に基いて旋回外側の後輪（１１）の回転数よりも小さい値となる旋回内側の後輪（１１）の設定回転数を算出し、設定回転数よりも後輪回転センサ（２０５）によって検出される旋回内側の後輪（１１）の回転数が大きいときは旋回内側のサイドクラッチを切りにし、設定回転数よりも検出される旋回内側の後輪（１１）の回転数が小さいときは旋回内側のサイドクラッチを入にする制御を行なう断続入り切り制御とを切り替える調節ダイヤル（２１０）を設け、
前記走行車体（２）に圃場の硬軟を検出する硬軟検出装置（２０７）を設け、該硬軟検出装置（２０７）が土壌が柔らかいことを検出すると前記旋回内側の後輪（１１）の設定回転数を小さく補正し、土壌が硬いことを検出すると前記旋回内側の後輪（１１）の設定回転数を大きく補正する構成としたことを特徴とする請求項１から４の何れか１項に記載の作業車両。
【発明の詳細な説明】
【技術分野】
【０００１】
本発明は、苗植付装置などの作業部を備えた作業車両に関するものである。
【背景技術】
【０００２】
特許文献１に記載された技術は、左右の後輪への伝動を各別に断続するサイドクラッチと、前輪が直進姿勢から設定角度以上に操向されることに連動して旋回内側のサイドクラッチを切り操作する自動操向機構を備え、前輪が直進姿勢から設定角度以上に操向されている状態が検出されると、旋回内側の後輪に対するサイドクラッチを間欠的に入り切り制御することによって、小回り旋回を可能とし、後輪による圃場の荒らしを少なくするようにしたものである。
【先行技術文献】
【特許文献】
【０００３】
【特許文献１】特開２００４−１９６０００号公報
【発明の概要】
【発明が解決しようとする課題】
【０００４】
特許文献１に開示された技術に対し、本発明による場合は、旋回外側の後輪の回転数を検出し、検出された旋回外側の後輪の回転数の所定以下（約５分の１）の値を旋回内側の後輪の設定回転数に設定し、設定回転数より検出される旋回内側の後輪の回転数が大きいときは旋回内側のサイドクラッチを切りにし、設定回転数より検出される旋回内側の後輪の回転数が小さいときは旋回内側のサイドクラッチを入りにすることによって、旋回外側の後輪がスリップするようなときのみ旋回内側の後輪を駆動して走行不能に陥らないようにし、悪条件化でも旋回がスムースに行えるようにする。
【課題を解決するための手段】
【０００５】
この発明は、上記課題を解決すべく次のような技術的手段を講じた。
すなわち、請求項１に記載の本発明は、原動機（Ｅ）を備える走行車体（２）と、左右の前輪（１０，１０）及び原動機（Ｅ）からの動力により駆動する左右の後輪（１１，１１）と、前記走行車体（２）上に設けた運転席（３１）と、走行車体（２）を操向操作する操向ハンドル（３４）と、該操向ハンドル（３４）の操作に連動して左右の前輪（１０，１０）を操舵するステアリング機構（８７）と、前記走行車体（２）の後側に昇降リンク装置（３）を介して昇降可能に装着された作業部（４）と、原動機（Ｅ）からの動力を左右の後輪（１１，１１）へ伝達する左右のサイドクラッチを各々設け、該左右の後輪（１１，１１）の回転数を検出する左右の後輪回転センサ（２０５，２０５）を各々設けた作業車両において、前記左右のサイドクラッチを手動で入切操作する左右のブレーキペダル（１１１，１１１）を設け、該左右のブレーキペダル（１１１，１１１）の操作を検知する左右のセンサ（１１２，１１２）を設け、前記操向ハンドル（３４）が旋回開始操作されてから旋回終了操作されるまでの間、旋回内側の後輪回転センサ（２０５）の累計回転数とこの累計回転数に対応する旋回内側のセンサ（１１２）の検出値を記録する制御装置（１６３）を設け、該制御装置（１６３）は、次工程では記録された旋回内側のセンサ（１１２）の検出値に合わせて旋回内側の後輪（１１）の駆動を断続的に入切制御することを特徴とする作業車両とした。
【０００６】
請求項２に記載の本発明は、前記左右のブレーキペダル（１１１，１１１）の操作に連動して各々上下移動する左右の第１ロッド（１１９，１１９）を設け、該左側の第１ロッド（１１９）が上下移動すると連動して上下回動する中継アーム（１３４）を設け、該中継アーム（１３４）の上下回動に連動して上下移動するカウンタロッド（１３７）を設け、該カウンタロッド（１３７）と右側の第１ロッド（１１９）の上下移動に各々連動して前後移動する左右の第２ロッド（１８０，１８０）を設け、該左右の第２ロッド（１８０，１８０）に左右のサイドクラッチの入切を切り替える左右各々のサイドクラッチ操作アーム（８６Ｉ，８６Ｉ）を設けると共に、前記カウンタロッド（１３７）と前記右側の第１ロッド（１１９）にセンサ（１１２，１１２）を各々設けたことを特徴とする請求項１に記載の作業車両とした。
【０００７】
請求項３に記載の本発明は、前記苗植付部（４）に苗の残量を検知する苗量センサ（９１）を設け、該苗量センサ（９１）が苗の減少を検知すると点灯する苗減少ランプ（９２）を設け、前記苗植付部（４）の前側に圃場面を耕起するロータ（９８）を設け、前記走行車体（２）の前側に畦際までの距離を測定する前方距離センサ（９３）を設け、該前方距離センサ（９３）が測定する畦際までの距離が、前記苗量センサ（９１）が検知する苗の残量から判断される植付可能な距離よりも長いと前記苗減少ランプ（９２）を点灯させると共に、該前方距離センサ（９３）が測定する畦際までの距離が設定された第１距離になると前記ロータ（９８）の駆動を停止させ、第２距離になると前記苗植付部（４）の植付クラッチを切にすることを特徴とする請求項１または２に記載の作業車両とした。
【０００８】
請求項４に記載の本発明は、前記前方距離センサ（９３）は、畦が機体の進行方向に対して傾斜しているか否かを検出する左右一対の前方距離センサ（９３Ｌ，９３Ｒ）で構成し、該左右の前方距離センサ（９３Ｌ，９３Ｒ）が畦の傾斜を検出すると、畦クラッチを自動的に入切して旋回前の植え終わり位置から畦際までの距離と旋回後の畦際から植え始め位置までの距離とを揃える構成とし、前記操向ハンドル（３４）の操作コラム（４７）の右側に植付操作レバー（１６５）を設け、該植付操作レバー（１６５）を１段下げ方向に操作すると前記苗植付部（４）が下降し、２段下げ方向に操作すると植付クラッチが入になる構成とすると共に、前記操作コラム（４７）の左側に圃場に線を形成するマーカを操作するマーカ操作レバー（１６７）を設け、該マーカ操作レバー（１６７）を上下方向に操作するとマーカが上下動する構成としたことを特徴とする請求項１から３の何れか１項に記載の作業車両とした。
【０００９】
請求項５に記載の本発明は、前記旋回走行中の前記左右のブレーキペダル（１１１，１１１）の手動操作を記録し、次工程では記録された旋回内側のセンサ（１１２）の検出値に合わせて旋回内側の後輪（１１）の駆動を断続的に入切する手動制御と、前記制御装置（１６３）が、前記旋回外側の後輪回転センサ（２０５）によって検出された旋回外側の後輪（１１）の回転数に基いて旋回外側の後輪（１１）の回転数よりも小さい値となる旋回内側の後輪（１１）の設定回転数を算出し、設定回転数よりも後輪回転センサ（２０５）によって検出される旋回内側の後輪（１１）の回転数が大きいときは旋回内側のサイドクラッチを切りにし、設定回転数よりも検出される旋回内側の後輪（１１）の回転数が小さいときは旋回内側のサイドクラッチを入にする制御を行なう断続入り切り制御とを切り替える調節ダイヤル（２１０）を設け、前記走行車体（２）に圃場の硬軟を検出する硬軟検出装置（２０７）を設け、該硬軟検出装置（２０７）が土壌が柔らかいことを検出すると前記旋回内側の後輪（１１）の設定回転数を小さく補正し、土壌が硬いことを検出すると前記旋回内側の後輪（１１）の設定回転数を大きく補正する構成としたことを特徴とする請求項１から４の何れか１項に記載の作業車両とした。
【発明の効果】
【００１０】
請求項１記載の本発明によれば、左右のサイドクラッチを手動で入切操作する左右のブレーキペダル（１１１，１１１）を設けたことにより、作業者の手動操作により左右のサイドクラッチを入切操作することができる。
また、左右のブレーキペダル（１１１，１１１）の操作を検知する左右のセンサ（１１２，１１２）を設けたことにより、旋回走行中の旋回内側の後輪回転センサ（２０５）の累積回転数に対応する旋回内側のセンサ（１１２）の検出値を制御装置（１６３）に記憶し、次工程では記憶した旋回内側のセンサ（１１２）の検出値に合わせて旋回内側の後輪（１１）への駆動を断続的に入切することができるので、旋回が円滑に行える。
請求項２に記載の本発明によれば、請求項１に記載の発明の効果に加えて、左右のブレーキペダル（１１１，１１１）の操作に連動して上下動する機体左側のカウンタロッド（１３７）と機体右側の第１ロッド（１１９）に左右のセンサ（１１２，１１２）を各々設けたことにより、左右のブレーキペダル（１１１，１１１）の動きを左右のセンサ（１１２，１１２）で感知することができる。
【００１１】
請求項３に記載の本発明によれば、請求項１または２に記載の発明の効果に加えて、前方距離センサ（９３）が検知する畦際までの距離が、苗量センサ（９１）が検知する苗の残量から判断される植付可能な距離よりも長いと苗減少ランプ（９２）を点灯させることができる。
また、前方距離センサ（９３）が検知する畦際までの距離が設定された距離になると、苗植付部（４）の植付クラッチが切になる前にロータ（９８）の駆動が停止する構成としたことにより、ロータ（９８）の入切操作が自動で行われるので、煩雑な操作が不要となり、操作性が向上する。
請求項４に記載の本発明によれば、請求項１から３の何れか１項に記載の発明の効果に加えて、畦際が機体の進行方向に対して傾斜姿勢であることを左右一対の前側距離センサ（９３Ｌ，９３Ｒ）で検知すると、畦クラッチを自動的に入切して旋回前の植え終わり位置から畦際までの距離と旋回後の畦際から植え始め位置までの距離を揃えることにより、枕地に植え付ける苗の植付幅を一定に揃えることができるので、作業能率が向上する。
また、植付操作レバー（１６５）を１段下げ方向に操作すると苗植付部（４）を下降させることができ、２段下げ方向に操作すると植付クラッチを入にすることができると共に、マーカ操作レバー（１６７）を上下方向に操作すると圃場に直進の目安となる線を形成するマーカを上下動させることができる。
請求項５に記載の本発明によれば、請求項１から４の何れか１項に記載の発明の効果に加えて、調節ダイヤル（２１０）の操作によって、旋回内側のサイドクラッチの入切を自動的に、または制御装置（１６３）に記録された前工程の手動操作に基づいて行うことができる。
そして、所定回転数よりも検出される旋回内側の後輪（１１）の回転数が小さいとき、即ち旋回外側の後輪（１１）がスリップし得る場所では、サイドクラッチを入にして旋回内側の後輪（１１）を駆動させることにより、旋回中に走行不能に陥ることを防止できるので、旋回走行が円滑になる。
また、硬軟検知装置（２０７）が検知する圃場の硬軟に合わせて旋回内側の後輪（１１）の回転数を断続的入り切り制御機能（Ｂ１）で変更することができるので、土壌が軟弱でスリップが発生し易い所では、無闇に旋回内側の後輪（１１）が駆動しないようにして旋回時における走行経路が大回りにならないようにし、逆に土壌が硬くスリップが発生し難い所では、旋回外側の後輪（１１）のスリップの発生で素早く旋回内側の後輪（１１）を強制駆動させることができ、旋回内側の後輪（１１）が停止することで、土壌を激しく荒らすようなことを防止できる。
【図面の簡単な説明】
【００１２】
【図１】乗用型田植機の側面図
【図２】同上平面図
【図３】図３（ａ）は、図１の乗用型田植機の操向操作に連動する後輪のクラッチ作動機構図（平面図）、図３（ｂ）は、図３（ａ）の側面図
【図４】図３（ｂ）のミッションケース周辺の拡大側面図
【図５】図３（ａ）に油圧式無段変速装置を図示した場合の図
【図６】制御ブロック回路図
【図７】旋回制御パターンを示す説明図
【図８】旋回制御のフローチャート
【図９】田植機の操作盤の間欠サイドクラッチ制御調節ダイヤル部分の平面図
【図１０】田植機の操作盤の植始め調節ダイヤル部分の平面図
【図１１】制御ブロック回路図
【図１２】耕起ロータを備えた苗植付部の要部の平面図
【図１３】旋回制御のフローチャート
【図１４】畦際旋回パターンを示す平面図
【図１５】枕地での植付作業状態を示す平面図
【図１６】田植機の操作機構を示す要部の平面図
【発明を実施するための形態】
【００１３】
以下、この発明の実施例を図面に基づき説明する。
図１及び図２は本発明を用いた一実施例である粉粒体繰出し装置として施肥装置を装着した乗用型田植機の側面図と平面図である。この乗用型田植機１は、走行車体２の後側に昇降リンク装置３を介して苗植付部４が昇降可能に装着され、走行車体２の後部上側に施肥装置５の本体部分が設けられている。
【００１４】
走行車体２は、駆動輪である左右一対の前輪１０，１０及び左右一対の後輪１１，１１を備えた四輪駆動車両であって、機体の前部にミッションケース１２が配置され、そのミッションケース１２の左右側方に前輪ファイナルケース１３，１３が設けられ、該左右前輪ファイナルケース１３，１３の操向方向を変更可能な各々の前輪支持部から外向きに突出する左右前輪車軸（前輪アクスル）１４（図４）に左右前輪１０，１０が各々取り付けられている。また、ミッションケース１２の背面部にメインフレーム１５の前端部が固着されており、そのメインフレーム１５の後端左右中央部に前後水平に設けた後輪ローリング軸１７を支点にして後輪ギヤケース１８，１８がローリング自在に支持され、その後輪ギヤケース１８，１８から外向きに突出する後輪車軸１１ａに後輪１１，１１が取り付けられている。後輪ローリング軸１７の後輪ローリング軸フレーム上には後輪の左右傾斜を検出する後輪ローリングセンサが設置されている。
【００１５】
原動機（エンジンＥ）はメインフレーム１５の上に搭載されており、該エンジンＥの回転動力が、ベルト伝動装置２１及び油圧式無段変速装置２３を介してミッションケース１２に伝達される。変速レバー１６などにより決められるミッションケース１２に伝達された回転動力は、該ケース１２内のトランスミッションにより変速された後、走行動力と外部取出動力に分離して取り出される。そして、走行動力は、一部が前輪ファイナルケース１３，１３に伝達されて前輪１０，１０を駆動すると共に、残りが後輪ギヤケース１８，１８に伝達されて後輪１１，１１を駆動する。また、外部取出動力は、走行車体２の後部に設けた植付クラッチケース２５に伝達され、それから植付伝動軸２６によって苗植付部４へ伝動されるとともに、施肥伝動機構２８によって施肥装置５へ伝動される。
【００１６】
エンジンＥの上部はエンジンカバー３０で覆われており、その上に運転席３１が設置されている。運転席３１の前方には各種操作機構を内蔵するフロントカバー３２があり、その上方に前輪１０，１０を操向操作する操向ハンドル（ステアリングハンドル）３４が設けられている。エンジンカバー３０及びフロントカバー３２の下端左右両側は水平状のフロアステップ３５になっている。フロアステップ３５上の後部は、後輪フェンダを兼ねるリヤステップ３６となっている。
【００１７】
また、走行車体２の前部左右両側には、補給用の苗を載せておく予備苗載台３８，３８が機体よりも側方に張り出す位置と内側に収納した位置とに回動可能に設けられている。昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。そして、縦リンク４３の下端部に苗植付部４に回転自在に支承された連結軸４４が挿入連結され、連結軸４４を中心として苗植付部４がローリング自在に連結されている。メインフレーム１５に固着した支持部材と上リンク４０に一体形成したスイングアーム（図示せず）の先端部との間に昇降油圧シリンダー４６が設けられており、該シリンダ４６を油圧で伸縮させることにより、上リンク４０が上下に回動し、苗植付部４がほぼ一定姿勢のまま昇降する。
【００１８】
苗植付部４は８条植の構成で、フレームを兼ねる苗植付伝動ケース５０、マット苗を載せて左右往復動し苗を一株分づつ各条の苗取出口５１ａ、…に供給するとともに横一列分の苗を全て苗取出口５１ａ、…に供給すると苗送りベルト５１ｂ、…により苗を下方に移送する苗載台５１、苗取出口５１ａ、…に供給された苗を圃場に植付ける苗植付装置５２、…、次行程における機体進路を表土面に線引きする左右一対の線引きマーカ等を備えている。苗植付部４の下部には中央にセンターフロート５５、その左右両側にミドルフロート５７とサイドフロート５６がそれぞれ設けられている。これらフロート（センターフロート５５、サイドフロート５６、ミドルフロート５７）を圃場の泥面に接地させた状態で機体を進行させると、フロート５５〜５７が泥面を整地しつつ滑走し、その整地跡に苗植付装置５２、…により苗が植付けられる。各フロート（センターフロート５５、サイドフロート５６、ミドルフロート５７）は圃場表土面の凹凸に応じて前端側が上下動するように回動自在に取り付けられており、植付作業時にはセンターフロート５５の前部の上下動が迎角制御センサ（図示せず）により検出され、その検出結果に応じ前記昇降油圧シリンダー４６を制御する油圧バルブ、チェックバルブを介して苗植付部４を昇降させることにより、苗の植付深さを常に一定に維持する。
【００１９】
施肥装置５は、肥料ホッパ６０に貯留されている粒状の肥料を繰出部６１、…によって一定量づつ繰り出し、その肥料を施肥ホース６２、…でフロート（センターフロート５５、サイドフロート５６、ミドルフロート５７）の左右両側に取り付けた施肥ガイド（図示せず）、…まで導き、施肥ガイド、…の前側に設けた作溝体（図示せず）、…によって苗植付条の側部近傍に形成される施肥構内に落とし込むようになっている。ブロア用電動モータ５３で駆動するブロア５８で発生させたエアが、左右方向に長いエアチャンバ５９を経由して施肥ホース６２、…に吹き込まれ、施肥ホース６２、…内の肥料を風圧で強制的に搬送するようになっている。
【００２０】
苗植付部４には整地装置の一例である整地ロータ２７（２７ａ，２７ｂ）が取り付けられている。また、苗載台５１は苗植付部４の全体を支持する左右方向と上下方向に幅一杯の矩形の支持枠体６５の支持ローラ６５ａをレールとして左右方向にスライドする構成である。
【００２１】
整地ロータ２７は、次のような支持構造に支持されている。すなわち苗載台５１の前記支持枠体６５の両側辺部材６５ｂに上端を回動自在に支持された梁部材６６と該梁部材６６の両端に固着した支持アーム６７と該支持アーム６７に回動自在に取り付けられたロータ支持フレーム６８が設けられ、該ロータ支持フレーム６８の下端には整地ロータ２７（サイドロータ２７ａとセンタロータ２７ｂ）の駆動軸７０（７０ａ，７０ｂ）が取り付けられている。また、該ロータ支持フレーム６８の下端部近くは苗植付伝動ケース５０に回動自在に取り付けられた連結部材７１に連結している。
【００２２】
フロート（センターフロート５５、サイドフロート５６、ミドルフロート５７）との配置位置の関係でセンタフロート５５の前方にあるロータ２７ｂはサイドフロート５６とミドルフロート５７の前方にある各ロータ２７ａより前方に配置されている。そのためロータ２７ａの駆動軸７０ａへの動力は後輪１１のギアケース１８内のギアから伝達され、ロータ２７ｂの駆動軸７０ｂへは両方のロータ２７ａ，２７ａの駆動軸７０ａ，７０ａの車体内側の端部からそれぞれ動力が伝達される。
【００２３】
また、ロータ２７ｂは梁部材６６に上端部が支持された一対のリンク部材７６，７７によりスプリング７８を介して吊り下げられている。
また、ロータ上下位置調節レバー８１の下端部には折曲片８２が固着されており、該折曲片８２は支持枠体６５に回動自在に支持されている。そして前記レバー８１が車両の左右方向に回動操作されると、支持枠体６５の両側辺部材６５ｂに回動自在に支持された梁部材６６に固着支持された突出部６６ａの近くを折曲片８２が上下に回動する。折曲片８２は前記突出部６６ａの下方を係止しているので、該突出部６６ａがレバー８１の機体右方向の回動で、上向きに梁部材６６を中心として回動する。該突出部６６ａの前記回動により第一リンク部材７６の梁部材６６との連結部と反対側の端部も梁部材６６を中心として上向きに回動する。この第一リンク部材７６の上方への回動により第二リンク部材７７とスプリング７８を介してロータ２７ｂを上方に上げることができる。ロータ２７ｂを上方に移動させると、駆動軸７０ｂと駆動軸７０ａを介してロータ２７ａも同時に上方に移動する。
【００２４】
また、苗植付部４を圃場に下げたときに、苗植付部４を水平位置に戻すケーブル４５をセンタロータ２７ｂのリンク部材７６，７７とスプリング７８等からなる引上げスプリング部と油圧ピストン４６と連動させた構成としている。
【００２５】
このように、センタロータ２７ｂのスプリング７８等によるスイング機構の他にケーブル４５を設けることで苗植付部４を上昇位置から下降させるごとにセンタロータ２７ｂを水平位置に戻すことができ、センタロータ２７ｂの保持位置を安定化させることができる。
【００２６】
エンジンＥの回転動力は、ベルト伝動装置２１などを介して油圧式無段変速装置２３に伝えられ、油圧式無段変速装置２３からの出力はベルト（図示せず）を介してミッションケース１２の図示しない入力軸に伝えられる。
【００２７】
苗植付部４は、走行車体２のメインフレーム１５に昇降リンク装置３で昇降自在に装着されているが、その昇降させる構成と苗植付部４の構成について説明する。
先ず、走行車体２に基部が回動自在に設けられた一般的な油圧シリンダー４６（図１）のピストン上端部を昇降リンク装置３に連結し、走行車体２に設けた油圧ポンプ４９（図４，図５）により油圧シリンダー４６に圧油を供給・排出して、油圧シリンダー４６のピストンを伸進・縮退させて昇降リンク装置３に連結した苗植付部４が上下動されるように構成されている。
【００２８】
図３に示すように、左右の後輪１１の伝動軸のサイドクラッチ操作アーム８６Ｉを作動させるクラッチ連動用の左右ロッド（第２ロッド）１８０がミッションケース１２の左右両側に設けられ、該クラッチ連動用の左右ロッド１８０とサイドクラッチ操作アーム８６Ｉは左右のプルシリンダ２１７を介して連結している。
【００２９】
左右のサイドクラッチ操作アーム８６Ｉは、前記左右のプルシリンダ２１７（旋回時にシリンダ２１７を引き、旋回内側の後輪１１の伝動軸のサイドクラッチを切る）作動制御用のサイドクラッチ制御用電磁バルブ２２１（図４，図５，図６）を備えている上記構成を用いて、ハンドル３４を一定角度回転させた後に、一つは継続して前記サイドクラッチを切り又は入りにする制御（Ａ）と、もう一つは一定周期で前記サイドクラッチを接続／切断する制御（Ｂ）に切替え選択可能にした。制御（Ａ）は標準用であり、制御（Ｂ）は湿田用である。ハンドル３４を操作するとトルクジェネレータ（パワーステアリング）３７によって旋回内側のプルシリンダ２１７を作動させてサイドクラッチを切り（又は入り）にする。これらサイドクラッチ操作アーム８６Ｉ、クラッチ連動用の左右ロッド１８０、プルシリンダ２１７、サイドクラッチ制御用電磁バルブ２２１などをステアリング機構８７と言う。
【００３０】
上記した実施例では、ステアリングハンドル３４の所定角以上の操作により、旋回内側の後輪１１のサイドクラッチ（図示せず）を切る例を示したが、サイドクラッチスイッチを作業モニタ装置に備えた操作盤３３（図２）に設けておき、手動でサイドクラッチの「切」が可能な構成にしても良い。または、サイドクラッチペダルにより、手動でサイドクラッチの「切」が可能な構成にしても良い。
【００３１】
次に、後進時に苗植付部４を自動的に上昇させる制御構成について説明する。先ず、前後進レバー９０（図２）を後進速に操作すると、該レバー９０の基部に設けた接当片が接当してオンになるバックリフトスイッチ１９１（図６）が設けられており、図６に示す制御部１６３（制御装置）の苗植付装置上昇手段により電磁油圧バルブ（昇降バルブ）１６１（図６）を作動させる電磁ソレノイドを制御して油圧シリンダー４６にて苗植付部４を最大位置まで上昇させるように構成されている。
【００３２】
このように、前後進レバー９０を後進速に操作すると、自動的に苗植付部４を最大位置まで上昇させるように構成しておくと、圃場の畦際で機体を旋回させるため等に機体を畦に向かって後進させる時に、自動的に苗植付部４は最大位置まで上昇しているので、苗植付部４が畦に衝突して破損することが未然に防止でき作業性が良い。
【００３３】
次に、旋回時に苗植付部４を自動的に上昇させる制御構成について説明する。前記ステアリングハンドル３４を左右何れかに２００度回転させた時に自動リフト切替スイッチ１９２（図６）をオンにすると、制御装置１６３に備えられた昇降制御手段の苗植付部上昇手段により電磁油圧バルブ１６１を作動させる電磁ソレノイドを制御して油圧シリンダー４６にて苗植付部４を最大位置まで上昇させるように構成されている。
【００３４】
このように、畦際で機体を旋回させるために操向ハンドル３４を左右何れかに最大限まで回転させると、自動的に苗植付部４は最大位置まで上昇するので、機体旋回時に苗植付部４を上昇させる操作が不要となり、能率良く機体旋回が行えて作業性が良い。
【００３５】
操作盤３３には、苗植付部４の自動上昇を行わせる状態と行わせない状態とに切替える自動リフト切替スイッチ１９２（図６，図１０）が設けられており、自動リフト切替スイッチ１９２を自動にしていると、上記のようにバックリフトスイッチ１９１がオンになるか自動リフト切替スイッチ１９２がオンで操向ハンドル３４を左右何れかに２００度回転すると自動的に苗植付部４は制御装置１６３の苗植付装置上昇手段により自動上昇される。そして、自動リフト切替スイッチ１９２をオフにしていると、バックリフトスイッチ１９１がオンになっても操向ハンドル３４を左右何れかに２００度回転しても苗植付部４は自動上昇されない。
【００３６】
このように、一つの自動リフト切替スイッチ１９２で、バックリフトスイッチ１９１がオンになっても自動リフト切替スイッチ１９２がオフであれば操向ハンドル３４を左右何れかに２００度回転しても苗植付部４は自動上昇されない状態にすることができるので、バックリフトとオートリフトの各々を入り切りするスイッチを別々に設けた構成よりも簡潔な構成となり、一つのスイッチで両者の状態切替えが行えるので、操作ミスが少なくなり作業性が良い。
【００３７】
なお、自動リフト切替スイッチ１９２をオフにして、バックリフトスイッチ１９１がオンになっても操向ハンドル３４を左右何れかに２００度回転しても苗植付部４が自動上昇しない状態にしておくと、機体を後進で納屋等にしまう時に前後進レバー９０を後進速に操作しても苗植付部４が自動上昇しないので、苗植付部４を下げたまま後進することができ、納屋の入口上部や納屋内の他の部材に苗植付部４をぶつけてしまうような事態が回避できる。また、扇型やひょうたん型等の変形圃場で畦際に沿って周り植えをする場合に、曲がった畦に沿って操向ハンドル３４を回しながら植付け作業を行うが、この時に、自動リフト切替スイッチ１９２を自動位置にしていると、操向ハンドル３４を左右何れかに２００度以上回転すると自動的に苗植付部４が上昇してしまい植付け作業が行えないが、自動リフト切替スイッチ１９２をオフにしていると、操向ハンドル３４を左右何れかに２００度以上回転しても苗植付部４は上昇しないので植付け作業が行え、変形圃場でも適切に苗植付け作業が行える。
【００３８】
また、上記構成からなる乗用型田植機１では、本実施例の制御装置１６３は旋回内側の後輪１１のドライブシャフト（伝動軸）（図示せず）の回転数の検出に基づいて、旋回時の苗植え付けなどの諸作動を自動的に行わせる旋回連動制御ができる。この制御モードを自動植付開始モードということがあるが、特に、旋回内側の後輪１１が所定角度以上操舵されているときに、前記旋回連動制御ができる。
【００３９】
旋回後の苗の植始め位置の設定を後輪の回転数に基づいて自動的に行う制御モード（自動植付開始モード）の設定ができ、この制御モード設定は旋回開始タイミングをハンドル３４の旋回角度（切れ角）センサ１９３で検知し、該旋回角度センサ１９３で検知した旋回開始時からの走行距離を車輪（旋回内側の後輪１１の伝動軸）の回転数センサ（以下後輪回転センサという。）２０５の検出値に基づき測定し、前記走行距離が所定値に達すると苗植付レバー１９（図２）の操作をしなくても、自動的に苗の植え付けを開始する自動植付開始モードである。
【００４０】
この旋回制御方式を図７と表１に示す。
【００４１】
【表１】
0005434409.tif 000002
すなわち、操向ハンドル３４を切り、旋回内側の後輪１１のサイドクラッチが切れた状態で、左右ドライブシャフトの回転数を検出し、旋回時の内側の後輪１１の伝動軸回転数が設定値Ｎ１を超えると苗植付部４を下降させる。その後、後輪１１の伝動軸回転数が設定値Ｎ２と苗植付け具１２６の作動が「切り」状態に入って（＝苗植付装置５２が上げ状態に移って）から操向ハンドル３４の切り操作開始までの後輪１１の伝動軸の回転数ｎの合計値以上になると植付「入り」にする機構である。
【００４２】
上記旋回連動制御のフローを図８に示す。
まず、左右の後輪１１，１１の伝動軸の回転数を伝動軸回転数センサ２０５で検出し、また設定値Ｎ１（旋回開始から機体９０°旋回までの旋回内側の後輪１１のドライブシャフト（伝動軸）回転信号設定値）、Ｎ２（機体９０°旋回から植付クラッチ「入り」までの前記ドライブシャフト回転信号設定値）、θ１（（直進操作時のハンドル切り設定角度の）下限値（左旋回と判断する角度））、θ２（（直進操作時のハンドル切り設定角度の）上限値（右旋回と判断する角度））をセットする。
【００４３】
次いで、圃場の硬軟や水深、耕盤深さ（圃場深さ）等の圃場条件の相違に対応するために、前記回転数Ｎ１、Ｎ２及びハンドル切り角度θ１、θ２の各設定値を調節する設定ダイヤルにより、補正値ｎ０を設定する。
【００４４】
苗植付部４の苗植付け具１２６が苗の植え付け状態にあるか無いかをフィンガーレバー１６６（苗植付部４の駆動の入り切り操作をしたり、苗植付部４の昇降操作をしたりできるレバー）の操作に伴う制御装置１６３の状態で検出して、植付「入」から植付「切」になったとき、苗植付け具１２６の作動が「入り」状態に入ってから苗植付け具１２６の作動が「切り」状態になるまでの後輪１１の伝動軸の回転数ｎを旋回内側の後輪回転センサ２０５で検出して、その値（ｎ）を記憶しておく。次いで、操向ハンドル３４の切り角度（操舵角度）θを操向ハンドル３４のシャフトに設けたハンドル切れ角センサ（ポテンショメータ）１９３（図６）で検出して直進時（θ１＜θ＜θ２）以外の時には左右のいずれの方向に旋回中であるかどうかを検出する。
【００４５】
左旋回中であると左後輪１１の伝動軸の回転数を検出して、回転数ｎ１がｎ１≧Ｎ１＋ｎ０になると、旋回開始から機体が９０度以上旋回したことになるので苗植付部４を苗植付部下降手段により油圧シリンダ４６を作動させて接地位置まで下げる。この苗植付部４の下降で枕地が均平化される。また、機体を９０度旋回させた後には、ハンドル３４の旋回度合いを緩めながら前進させ、左後輪１１の左右ドライブシャフトの回転数ｎ２がｎ２≧Ｎ２＋ｎ＋ｎ０になると、苗植付け具１２６を作動させて苗の植え付けを開始させる。
【００４６】
本実施例の乗用型田植機１では、自動植付開始モードが設定された時にのみ自動的に制御装置１６３によって、旋回外側の後輪１１の回転数に応じて旋回内側の後輪１１の駆動を断続的にサイドクラッチを伝動する断続的入り切り制御機能（Ｂ１）（上記制御（Ｂ）に対応するもので、間欠サイドクラッチ制御という）を作動させることができる。
【００４７】
このように間欠サイドクラッチ制御を行うことにより、ブレーキングによる衝撃も少なく、エンジン回転や車速の影響を受けずに後輪１１の旋回角度に応じたブレーキングの周期を得ることができる。前記旋回内側の後輪１１のクラッチをオン／オフする間欠サイドクラッチ制御において、車速が遅ければ遅い程クラッチをオン／オフする周期を短く、速ければ速いほどクラッチをオン／オフする周期を長くすることで、オペレータに旋回時の違和感がないブレーキングを行うことができる。
【００４８】
例えば、車速０ｍ／ｓで旋回内側の後輪１１の伝動軸のサイドクラッチ（図示せず：クラッチ操作アーム８６Ｉなどにより行う）の作動周期（オン／オフを含む）が０．５秒、車速０．５ｍ／ｓで前記サイドクラッチ作動周期（オン／オフを含む）が１．０秒、車速１．０ｍ／ｓで前記サイドクラッチ作動周期（オン／オフを含む）が１．５秒となるように一次関数的に車速に応じて旋回内側の後輪１１の伝動軸のサイドクラッチ作動周期を変更する。
【００４９】
高速走行時は特に後輪１１の伝動軸のクラッチをオンするときでも、オフするときでも衝撃が大きい。そこで上記のように、間欠サイドクラッチ制御による衝撃を少なくするために、高速走行時ほど間欠サイドクラッチ制御（クラッチ操作アーム８６Ｉなどにより行う）のオン／オフの周期を長めにする。
【００５０】
本実施例の８条植の乗用型田植機１のように、大型の走行車両は旋回時には比較的大回りをする必要がある。しかし、旋回中に旋回内側の後輪１１の伝動軸のサイドクラッチを切ったままでおくと、小回りになり過ぎる。しかし、本実施例のように、旋回内側の後輪１１の伝動軸を間欠サイドクラッチ制御すると、オペレータに旋回時の違和感がないブレーキングを行うことができ、オペレータの希望する適切な旋回半径で８条植の乗用型田植機１に相応しい比較的大回りの旋回が可能となる。
【００５１】
前記旋回内側の後輪１１の伝動軸のサイドクラッチの接続は、図９に示すように操作盤３３に設けている間欠サイドクラッチ制御（ポンピングクラッチ制御ともいう）調節ダイヤル２１０で設定された回転数（回転角度）に旋回内側の後輪１１の回転数が達するまでなされる。
【００５２】
間欠サイドクラッチ制御調節ダイヤル２１０は、後輪回転角度（＝後輪１１の伝動軸の回転角度）で１１度〜２７度の間で調整を行う。なお、前記間欠サイドクラッチ制御調節ダイヤル２１０を後輪１１（後輪１１の伝動軸）の回転角度でなく、後輪１１の伝動軸作動用のクラッチ（図示せず）の作動時間、例えば２１０ｍｓから５１０ｍｓまでの時間で設定できる構成にして、この間欠サイドクラッチ制御調節ダイヤル２１０で設定された時間の間、旋回内側の後輪１１の伝動軸のサイドクラッチ（図示せず）が接続される構成としても良い。
【００５３】
また、路上走行などで高速走行しているときには、間欠サイドクラッチ制御を選択すると、大回り旋回になり易く、そのため、むしろハンドリングに違和感があるので、路上走行などの高速走行中には、前記間欠サイドクラッチ制御は不要である。そこで、走行車両が一定車速、例えば１．０ｍ／ｓ以上で高速走行しているときには、間欠サイドクラッチ制御が行われないようにしている。
【００５４】
また、図８に示す制御フローの設定値Ｎ１（旋回開始から機体９０°旋回までの旋回内側の後輪１１のドライブシャフト（伝動軸）回転信号設定値）、Ｎ２（機体９０°旋回から植付クラッチ「入り」までの前記ドライブシャフト回転信号設定値）を小さくするほど、旋回内側の後輪１１が深い圃場などにおいて深く沈み込んでいる場合など、苗の植え付け時の苗植付装置５２の下降を速く行いたい場合に有効である。
【００５５】
後輪１１が深く圃場に沈み込んでいる場合には昇降リンクセンサ４８で上リンク４０と下リンク４１の昇降の程度を検出することにより、苗植付部４の昇降の程度も検出できる。
【００５６】
上記構成により旋回制御中にオペレータが苗植付部４の上昇タイミングを任意に設定できるので自分のペースに合わせて作業を行うことができる。
こうして、８条植えなどの多条植え用の乗用型作業機であっても、前回の植付条に一部重なった状態で苗の植え付けをするおそれなく圃場での旋回が可能となる。
【００５７】
このようにサイドクラッチが切れている後輪１１の伝動軸（ドライブシャフト）の回転数を検出する方法は、動力の伝わっている後輪１１の回転数検出方法に比べてよりスリップなどの影響を受け難い特徴がある。また、後輪１１より回転の速いドライブシャフトの回転数を検出するため、容易にその測定精度を上げることができる。その結果、各植え付け条毎の苗の植え付け始めがほぼ一定（枕地幅が一定）となる効果がある。
【００５８】
なお、上記図８に示す一連の旋回制御の諸動作を行う旋回制御のスタートボタン（スイッチ）１８４を上記苗植付のスタート位置の設定を行うボタンとして兼用してもよい。  このように、畦際から発進して苗植付のスタート位置の設定を行うボタンと前記一連の旋回制御の諸動作を行う旋回制御のスタートボタン（スイッチ）１８４を兼用することによりボタン操作の忘れを防止できる。
【００５９】
前記自動植付開始モードの設定は植始め調節ダイヤル２１２（図６、図１０）で行い、また前記旋回開始時からの苗の植付け始めまでの走行距離は、図１０に示す植始め調節ダイヤル２１２を回して設定する。
【００６０】
前記植始め調節ダイヤル２１２の回転角度に応じて前記走行距離を適宜選択できる構成であるが、該ダイヤル２１２の前記走行距離の調節範囲より外れたダイヤル旋回角度領域（しかも自動植付開始モードに入る前のダイヤル旋回角度領域）に、車両の旋回開始時に自動的に苗植付装置４を上昇させる制御モードを選択できるオ−トリフト機能及び車両の後進時に自動的に苗植付装置４を上昇させる制御モードを選択できるバックリフト機能を兼用させている。
【００６１】
そして、植始め調節ダイヤル２１２のダイヤル回転操作でオ−トリフト機能に対応した位置に植始め調節ダイヤル２１２の指示部が「オートリフト」と指示された位置（図１０に示す）に至ると、当該オートリフト機能がオンになり、オートリフト制御モードが開始すると同時に前記間欠サイドクラッチ制御を開始する制御モードを採用することもできる。
【００６２】
上記したように、機体を旋回するターンには、旋回外側の後輪１１の回転数（回転速度）に対して旋回内側の後輪１１の回転数（回転速度）が所定速度（旋回外側の後輪の５分の１）以下になると、旋回内側のサイドクラッチを強制的に入りにして旋回内側の後輪を所定の回転量（走行距離６７ｍｍ程度）だけ強制駆動しながら旋回するターン（ポンピングターン）があるが、本発明の特徴点であるこの種の旋回制御において、制御部１６３には左右の後輪の回転数を検出する後輪回転センサ２０５が備えられ、左右後輪のサイドクラッチを断続的に入り切り制御する断続的入り切り制御機能は、後輪回転センサ２０５により検出された旋回外側の後輪の回転数に基づいて旋回内側の後輪の設定回転数を所定の演算式にて演算して設定するようにしている。そして、その演算式は、設定回転数を前記旋回外側の後輪の回転数よりも小さい値（例えば、旋回外側の後輪の回転数と旋回内側の後輪の回転数を５対１の割合）に設定する構成とし、設定回転数よりも検出される旋回内側の後輪の回転数が大きいときは旋回内側のサイドクラッチを切りにし、設定回転数よりも検出される旋回内側の後輪の回転数が小さいときは旋回内側のサイドクラッチを入にして強制駆動する構成としている。
【００６３】
操向ハンドル３４の操作によって前輪１０，１０が左又は右に操向操作されると、左右の後輪１１，１１が左又は右に旋回制御されるが、所定の回転数に設定された設定回転数よりも、検出される旋回内側の後輪の回転数が大きくなると、旋回内側のサイドクラッチが切りとなり、また、設定回転数よりも検出される旋回内側の後輪の回転数が小さくなったときは、旋回内側のサイドクラッチが入りとなって、旋回内側の後輪が所定の回転量だけ強制駆動されることになる。従って、旋回外側の後輪がスリップするようなときなどには、旋回内側の後輪を駆動することで走行不能に陥ることがなくなり、円滑な旋回制御が行えることになる。
【００６４】
また、前記制御部（制御装置）１６３には、演算式を補正する補正装置２０６が備えられている。旋回内側の後輪の設定回転数は、旋回外側の後輪の回転数より小さい値に設定するが、旋回外側後輪の回転数と旋回内側後輪の回転数の割合を、補正装置２０６により圃場面の硬軟等の条件に応じて適宜に設定変更することができる。
【００６５】
更に、前記制御部１６３には、圃場面の土壌の硬軟を検出する硬軟検出装置２０７が備えられ、該硬軟検出装置２０７により土壌の硬軟が軟らかいと判断されるほど設定回転数が小さくなるように、硬軟検出装置２０７（図１、図６）の検出結果に基づいて前記補正装置２０６によって補正ができるように構成されている。
【００６６】
旋回時、硬軟検出装置２０７が圃場面の「軟」を検出した場合には、旋回内側の後輪の設定回転数が小さくなるように補正し、サイドクラッチを切りにする。硬軟検出装置が圃場面の「硬」を検出した場合には、旋回内側の後輪の設定回転数が大きくなるように補正し、サイドクラッチを入りにして強制駆動する。従って、旋回外側後輪の回転数と旋回内側後輪の回転数の割合が補正装置により圃場面の硬軟等の条件に応じて適宜に設定変更されることになる。
【００６７】
本実施例の乗用型田植機１の制御装置１６３によれば、サイドクラッチ操作アーム８６Ｉクラッチ連動用の左右ロッド１８０、プルシリンダ２１７、電磁バルブ２２１などのステアリング機構８７に連動して旋回内側の後輪１１を入り又は切りにする継続的入り切り制御機能（Ａ１）と、後輪回転センサ２０５により検出される旋回外側の後輪１１の回転数に応じて旋回内側の後輪１１の駆動を断続的に入／切する断続的入り切り制御機能（Ｂ１）（間欠サイドクラッチ制御）を備え、例えば、圃場の深さに応じて選択する処理を行う入り切り制御選択機能を有した構成としている。また、左右のサイドクラッチ又はサイドブレーキ（図示せず）を左右個別に操作できる操作具として左右のブレーキペダル１１１，１１１（図３，図４）を設けているが、左右のブレーキペダル１１１，１１１の連結中にも制御装置１６３によって間欠サイドクラッチ制御（Ｂ１）を選択する制御が行われないようにする。
【００６８】
左右のブレーキペダル１１１，１１１が連結中（又は連結中でない）であることを検出するブレーキペダル連結センサ１１４をブレーキペダル１１１，１１１近傍に設けて、ブレーキペダル連結センサ１１４からの検出値によって間欠サイドクラッチ制御（Ｂ１）の作動の有無を制御装置１６３により選択する。
【００６９】
図３に示すように、左右のブレーキペダル１１１，１１１は前端部上側が保持プレート１１３によって保持され、前端部下側が左右のブレーキペダル１１１，１１１を連結するための連結プレート１１５によって支持されている。そして連結プレート１１５の下面は、左右のブレーキペダル１１１，１１１の基部１１１ａ，１１１ａに連結しており、ブレーキペダル基部１１１ａ，１１１ａの先端はアーム１１６，１１７を介して第１ロッド１１９に連結している。ブレーキペダル１１１を矢印Ｐ方向に踏み込むと、アーム１１６はブレーキペダル基部１１１ａとアーム１１６との連結軸１１８を支点として矢印Ａ方向に回動してアーム１１７と共に第１ロッド１１９が上方（矢印Ｂ方向）に動く。
【００７０】
一方、ブレーキペダル１１１を矢印Ｐ方向とは反対方向に戻すと、アーム１１６は矢印Ａ方向とは反対の方向に回動してアーム１１７と共に第１ロッド１１９が下方（矢印Ｂ方向とは反対方向）に動く。このようにブレーキペダル１１１を操作することで、第１ロッド１１９は上下方向に動く。
【００７１】
左右一方の第１ロッド１１９は左右一方の中継アーム１３４に連結し、更に中継アーム１３４はカウンタ軸１３３に連結し、カウンタ軸１３３に連結した左右他方の中継アーム１３４から、カウンタロッド１３７、カウンタアーム１３９等を介してクラッチ連動用の左右一方のロッド１８０に繋がっている。また、左右他方の第１ロッド１１９は、中継アーム１３４、カウンタ軸１３３、カウンタロッド１３７などを介さずにカウンタアーム１３９からクラッチ連動用の左右他方のロッド１８０に繋がっている。
【００７２】
これら左右ロッド１８０はそれぞれプルシリンダ２１７，サイドクラッチ操作アーム８６Ｉに連結しており、第１ロッド１１９が上下に動くと、左右ロッド１８０が前後方向に動いて左右のサイドクラッチ操作アーム８６Ｉは左右ロッド１８０の動きに連動して回動する。
【００７３】
ブレーキペダル１１１を矢印Ｐ方向に踏み込むと、上述のように第１ロッド１１９が上方（矢印Ｂ方向）に動き、左右ロッド１８０は前方（矢印Ｃ方向）に引かれてサイドクラッチ操作アーム８６Ｉが矢印Ｕ方向に回動して、旋回内側の後輪１１の伝動軸のサイドクラッチが切れる。
【００７４】
一方、左右のサイドクラッチ操作アーム８６Ｉは、左右のプルシリンダ２１７作動制御用のサイドクラッチ制御用電磁バルブ２２１を備えており、制御装置１６３からの出力信号によりサイドクラッチ制御用電磁バルブ２２１が作動して継続的入り切り制御機能（Ａ１）又は間欠サイドクラッチ制御（Ｂ１）が行われる。
【００７５】
左右のブレーキペダル１１１，１１１が連結中の時に、オペレータが一方又は両方のブレーキペダル１１１を操作すると、ブレーキングが行われる。しかし、左右のブレーキペダル１１１，１１１を連結している場合は、路上走行等のときであり、走行速度が速く、また傾斜地を走行することもあるから、より安全性を確保するために、間欠サイドクラッチ制御（Ｂ１）を作動させないようにする。
【００７６】
したがって、本構成を採用することにより、オペレータの意思とは無関係に継続的入り切り制御機能（Ａ１）又は間欠サイドクラッチ制御（Ｂ１）が作動しないようにできるので、安全性の向上が図れる。
【００７７】
また、左右のブレーキペダル１１１，１１１の操作の動きを感知するセンサ（ポテンショメータ）１１２，１１２（図３）をそれぞれ設け、間欠サイドクラッチ制御（ポンピングクラッチ）調節ダイヤル２１０により手動で設定した手動旋回時に、オペレータの操作パターンを制御装置１６３に記憶させるようにしても良い。
【００７８】
これは、旋回時のポテンショメータ１１２，１１２の操作パターンを記憶するものであるが、ハンドル切れ角センサ１９３により旋回を開始したことを検出してから、ハンドル切れ角センサ１９３により旋回を終了したことを検出するまでの間、制御装置１６３に入力される旋回内側の伝動軸回転数センサ２０５の累計回転数検出値に対応する旋回内側のポテンショメータ１１２，１１２の検出値を自動的に記憶することになる。
【００７９】
そして、手動旋回時の制御装置１６３に記憶したパターン通りに、次工程では自動で間欠サイドクラッチ（Ｂ１）（旋回内側の後輪１１の駆動を断続的に入／切する）を制御するような構成としても良い。
【００８０】
図１、図１１において、苗植付作業中、苗載台５１内の苗が所定量以下に減少すると、苗量センサ９１の検出結果に基づき苗減少ランプ９２が点灯するようになっている。機体の前部に対向側の畦までの走行距離を測定する前方距離センサ９３を設け、苗が減少して苗減少ランプ９２が点灯する時点で、前方距離センサ９３により対向側の畦までの距離を測定し、畦までの距離が比較的短く、残量苗だけで畦までの植え付けが可能である場合には、苗減少ランプが畦際に到達するまで点灯しないように制御する構成としている。この時の苗植付可能判断材料としては、一株当たりの苗取量、横送り行程での苗取回数、植付株間間隔等を考慮して判断するものとし、又は、苗取量調節レバー９４のセンサ９４ａ、横送り切替レバー９６のセンサ９６ａ、株間調節レバー９５のセンサ９５ａ等によりそれぞれのレバー位置を検出して制御部に入力することで、苗の植込必要量を総合的に判断することができる。
【００８１】
旋回開始位置から畦際までの走行距離を任意設定変更可能に構成し、畦際までの距離が予め設定された設定値になると、前方距離センサ９３の検出結果に基づき、電磁油圧バルブ１６１、油圧シリンダ４６を介して苗植付部４が上昇するように連動構成してある田植機において、苗植付部の前側に苗植付位置前方の圃場面を耕起する耕起ロータ９８（図１２）を回転駆動可能で駆動力入り切り可能（図１３）に構成して設け、畦際までの距離が予め設定された設定値になると、前方距離センサ９３の検出によって苗植付部４の植付クラッチが「切り」になる少し手前の位置で耕起ロータ９８の駆動が停止するように制御する構成としている。不耕起は、苗植付部を下げにしてフロートを接地した状態でロータは回転させずに前進させることがある。不耕起では、耕起していない圃場で、苗を植え付ける位置だけロータで耕起する（耕起した溝に苗を植える）ようになっているため、植付作業をしながら都合の良い位置ではいちいちロータの入り切り操作を手動で行わなければならず、操作を煩雑にするものであったが、上記のように、自動でロータの入り切りが行えるので、操作性が向上する。
【００８２】
また、図１４、図１５に示す実施例では、機体１の前部に前方距離センサ９３Ｌ，９３Ｒを左右に並設し、機体の進行方向に対して畦（Ｋ）が斜めになっているかどうかを検出し、自動的に畦クラッチを入り切りして畦からの植え付けない距離を合わすように制御する構成としている。これにより、畦が傾斜していても、旋回前の植え終りから畦（Ｋ）までの距離と、旋回後の畦（Ｋ）から植え始めまでの距離を同じにすることができ、枕地での植付幅（Ｄ）を一定に揃えることが可能となり、枕地植付作業が無駄なく効率良く行える。なお、旋回前の植付部への植付クラッチ「切」制御は、苗植付部４が隣接条の苗植え終り位置に達すると、その苗終り位置の苗を隣接条センサ（図示省略）で検出し、このセンサ検出結果に基づき、ＰＴＯクラッチ作動ソレノイド２２０（図１１）を作動させて植付クラッチを「切」制御する構成とすることもできる。
【００８３】
図１１に示す制御装置１６３に圃場の面積を入力すると、その圃場に必要な苗の枚数を計算してモニタ１００へ出力するように構成しておくと便利である。この場合、制御部には、予め、苗取量位置、横送り切替位置、株間調節位置を先に入力しておくものとする。また、それらの位置は苗取量調節レバーセンサ９４ａ、横送り切替レバーセンサ９６ａ、株間調節レバーセンサ９５ａにより自動的に感知して入力するものであってもよい。
【００８４】
図１６に示す実施例は、操向ハンドル３４の操作コラム４７の右側位置に植付操作レバー１６５を設け、このレバー１６５を１段下げ方向に操作すると苗植付部が下降し、２段下げ方向に操作すると植付クラッチが入りとなるように構成している。また、レバー１６５を奥側へ倒すと植付部のちょい下げとなり、手前側に倒すとちょい上げとなるよう連動構成している。
【００８５】
操作コラム４７の左側位置には、電動マーカの操作を行うマーカ操作レバー１６７を設け、該レバー１６７の上下方向の操作でマーカを上げ下げし、また、レバー１６７を奥側に押すとマーカのちょい上げ、手前に引くとちょい下げの操作が行えるように構成している。
【符号の説明】
【００８６】
Ｅ        原動機（エンジン）
１        乗用型田植機
２        走行車体
３        昇降リンク装置
４        作業部（苗植付部）
１０      前輪
１１      後輪
３１      運転席
３４      操向ハンドル
４７ 操作コラム
８７      ステアリング機構
９３ 前方距離センサ
９８ 耕起ロータ（ロータ）
１１１ ブレーキペダル
１１２ ポテンショメータ
１１９ 第１ロッド
１３４ 中継アーム
１３７ カウンタロッド
１６３    制御部（制御装置）
１６５ 植付操作レバー
１６７ マーカ操作レバー
１８０ 第２ロッド
２０５    後輪回転センサ
２０６    補正装置
２０７    硬軟検出装置
２１０ 調節ダイヤル
Ｂ１      断続入り切り制御機能
【図１】
0005434409.tif 000003
【図２】
0005434409.tif 000004
【図３】
0005434409.tif 000005
【図４】
0005434409.tif 000006
【図５】
0005434409.tif 000007
【図６】
0005434409.tif 000008
【図７】
0005434409.tif 000009
【図８】
0005434409.tif 000010
【図９】
0005434409.tif 000011
【図１０】
0005434409.tif 000012
【図１１】
0005434409.tif 000013
【図１２】
0005434409.tif 000014
【図１３】
0005434409.tif 000015
【図１４】
0005434409.tif 000016
【図１５】
0005434409.tif 000017
【図１６】
0005434409.tif 000018